(57)【要約】【課題】  特別な遮蔽手段を用いることなく投光手段からの光線がクリアドーム内に侵入するのを防止することができ、また、クリアドームに外力が加えられてもカメラの撮影に影響を与えることがないドーム型監視カメラ装置を提供する。【解決手段】  制御手段、レンズユニット３の駆動手段が内蔵され筐体４内に収容されたカメラ本体２と、カメラ本体２の下部に設けられクリアドーム５によって保護されて駆動手段により水平方向および垂直方向に回動されるレンズユニット３とを備えたカメラ１を有し、カメラ本体２が収容された筐体４の外周に複数の投光手段９が実装された照明装置６を設け、制御手段によりカメラ１の撮像方向に対応した投光手段９を点灯するようにした。【選択図】        図１
2005347914.tif 000002
【特許請求の範囲】
【請求項１】
制御手段、レンズユニットの駆動手段が内蔵され筐体内に収容されたカメラ本体と、該カメラ本体の下部に設けられクリアドームによって保護されて前記駆動手段により水平方向および垂直方向に回動されるレンズユニットとを備えたカメラを有し、
前記カメラ本体が収容された筐体の外周に複数の投光手段が実装された照明装置を設け、前記制御手段によりカメラの撮像方向に対応した投光手段を点灯するようにしたことを特徴とするドーム型監視カメラ装置。
【請求項２】
前記照明装置を、ほぼドーナツ状に形成されて前記筐体の下部外周に装着されるベースと、複数の投光手段が放射状に実装され、前記ベースに固定された基板と、該基板と前記投光手段を覆うカバーとによって構成したことを特徴とする請求項１記載のドーム型監視カメラ装置。
【請求項３】
前記クリアドームを、ほぼ半球状に形成したことを特徴とする請求項１又は２記載のドーム型監視カメラ装置。
【請求項４】
前記制御手段により、カメラの撮像方向及びズーム倍率に対応した部分の投光手段を点灯するように制御することを特徴とする請求項１〜３のいずれかに記載のドーム型監視カメラ装置。
【請求項５】
前記カメラを取付金具により天井等に取付けると共に、前記天井等の下面側において前記照明装置を筐体の外周に取付けたことを特徴とする請求項１〜４のいずれかに記載のドーム型監視カメラ装置。
【発明の詳細な説明】
【技術分野】
【０００１】
本発明は、レンズユニットを保護するクリアドームを有し、カメラの撮像方向を水平及び垂直方向に回動できるモータ等の駆動手段を備えたドーム型監視カメラ装置に関するもである。
【背景技術】
【０００２】
従来のドーム型監視カメラ装置に、赤外線投光手段と、基板に固定され赤外線光の照射範囲を撮像するカメラとを有し、赤外線投光手段とカメラを覆うドームカバーを天井や壁等に固定されたベースに着脱自在に装着し、筐体の内側に遮光板を立設し、又は投光手段とカメラとの間においてドームカバーに設けたスリットに遮光板を挿入して、投光手段とカメラとの間を仕切ることにより、ドームカバーに反射した光線がカメラ映像に映り込むのを防止するようにしたものがある（例えば、特許文献１参照）。
【特許文献１】特開２００３−８９５４号公報（第４−５頁、図１、図４）
【発明の開示】
【発明が解決しようとする課題】
【０００３】
特許文献１のドーム型カメラ装置は、カメラが基板に固定されているため、カメラの指向方向以外は撮像することができない。
また、ドームカバーは複雑な構造になっているため、風などの自然現象や外力が加えられたりしてカメラとドームカバーとの位置が変化すると、ドームカバーからの反射光を遮蔽できなくなったり、カメラの撮像範囲が変ったりするおそれがあり、若し、カメラとドームカバーの相対位置が変化した場合は、カメラとドームカバーの位置関係を再調整しなければならないので面倒である。さらに、ドームカバーに加えられる外力が大きい場合は、カメラに遮蔽板が接触して互いに傷つけあったり、変形したりするおそれがあった。
【０００４】
また、特許文献１の投光手段は、少なくとも夜間は常時点灯しておかなければならないが、ＬＥＤのような投光手段は投光時間が長いほど光量が低下するので、長期間使用すると光量不足が生じて撮影できなくなる。このような場合は投光手段を交換しなければならないが、投光手段はカメラと共に基板に搭載されているため、交換にあたっては、ドームカバーを外して基板を取り出さなければならないので作業性が悪く、交換に多くの時間を要するという問題がある。
【０００５】
本発明は、上記の課題を解決するためになされたもので、特別な遮蔽手段を用いることなく投光手段からの光線がクリアドーム内に侵入するのを防止することができ、また、クリアドームに外力が加えられてもカメラの撮影に影響を与えることがないドーム型監視カメラ装置を提供すること、及びカメラを容易に天井等に取付けることのできるドーム型監視カメラ装置を提供することを目的としたもものである。
【課題を解決するための手段】
【０００６】
本発明に係るドーム型監視カメラ装置は、制御手段、レンズユニットの駆動手段が内蔵され筐体内に収容されたカメラ本体と、該カメラ本体の下部に設けられクリアドームによって保護されて前記駆動手段により水平方向および垂直方向に回動されるレンズユニットとを備えたカメラを有し、前記カメラ本体が収容された筐体の外周に複数の投光手段が実装された照明装置を設け、前記制御手段によりカメラの撮像方向に対応した投光手段を点灯するようにしたものである。
【発明の効果】
【０００７】
本発明に係るドーム型監視カメラ装置は、照明装置をクリアドームから離れた位置に設けたので、特別な遮蔽手段を設けることなく、投光手段からの光線がクリアドーム内に侵入するのを防止することができ、また、照明装置交換の作業性を向上することができる。さらにクリアドームに外力が加えられてもカメラの撮影に影響を与えることがなく、その上、カメラの撮像方向に対応した投光手段のみ点灯するようにしたので、点灯手段の長寿命化、省電力化を得ることができる。
また、取付金具を用いることにより、カメラを簡単に天井等に取付けることができる。
【発明を実施するための最良の形態】
【０００８】
［実施の形態１］
図１は本発明の実施の形態１に係るドーム型監視カメラ装置の一部を断面で示した正面図、図２は図１の一部を省略して示した下面図である。
カメラ１は制御手段等を内蔵し、下部が開口された筐体４内に収容されたカメラ本体２と、カメラ本体２の下部に設けられたレンズユニット３とからなり、レンズユニット３は、制御手段の指令によってカメラ本体２に内蔵されたモータ等の駆動手段により駆動され、水平及び垂直方向に回動して、撮像方向に指向するようになっている。
【０００９】
そして、レンズユニット３は、筐体４に取付けられたほぼ半球状のクリアドーム５によって保護されており、外力が加えられてもレンズユニット３の撮像に影響を与えないようになっている。
上記のように構成したカメラ１は、筐体４が図示しない天井や壁面に取付けられる。
【００１０】
６は筐体４の下部外周に着脱可能に取付られたほぼドーナツ状の照明装置で、筐体４に着脱可能に取付けられたドーナツ状のベース７、ＬＥＤの如き複数の投光手段の９がカメラ１の外周にカメラ１の撮像範囲すべてに投光できるようにそれぞれ外周方向に傾けて放射状に実装され、ベース７に取付けられた基板８、及び基板８と投光手段９を覆って保護するカバー１０とからなっている。そして、カメラ１の制御手段と基板８は制御信号をやりとりする。なお、図２に示すように、投光手段９を複数列で放射状に設け、かつ外周側になるほど外方に傾けて配置し、カメラ１の撮像範囲すべてに投光できるようにしてもよい。
【００１１】
上記のように構成した照明装置６において、投光手段９はカメラ１の制御手段から得られる位置情報、ズーム倍率情報によるカメラユニット３の回動位置に対応して、撮像範囲に対応した部分の投光手段９のみ点灯するように、制御手段によって制御される。
例えば、図３（ａ）に示すように、カメラユニット３が矢印Ａ方向（水平方向）に指向したときは、投光手段９のうちａ，ｂ，ｃのみを点灯し、図３（ｂ）に示すように、カメラユニット３が矢印Ｂ方向（垂直方向）に指向したときは、投光手段９のうちｄのみを点灯する。
【００１２】
本実施の形態によれば、照明装置６をクリアドーム５と離れた場所において、カメラ１（筐体４）の外周に配置したので、投光手段９の光線がクリアドーム５内に侵入するのを防止することができ、このため、クリアドーム５又はその周辺に、光線の侵入を防止するための遮蔽板の如き部材を配置する必要がない。
また、クリアドーム５をぼ半球状に形成したので剛性を高めるこどかでき、このため、クリアドーム５に外力が加わっても変形したりカメラ１との相対位置が変化したりすることがなく、カメラ１の撮影に影響を与えることがない。
【００１３】
さらに、カメラ１の撮像範囲に対応した投光手段９のみを点灯するようにしたので、同じ投光手段９を長時間点灯する必要がなく、このため、投光手段９の光量低下を抑えることができ、照明装置６の寿命を向上させることができるばかりでなく、省電力効果を得ることができる。
また、照明装置６をカメラ１（筐体４）の外周に配置したので、交換やメンテナンスに際しては、クリアドーム５はそのままで照明装置５を取外すことができるので、作業性を向上することができる。
【００１４】
［実施の形態２］
図４は本発明の実施の形態２に係るドーム型監視カメラ装置の一部を断面で示した正面図である。なお、実施の形態１と同じ部分にはこれと同じ符号を付し、説明を省略する。
本実施の形態は、カメラ１を取付金具１１により天井１３等に取付けるようにしたものである。
【００１５】
取付金具１１は下部が開口し、下部外周にフランジ１２を有する円筒状に形成され、その高さＨ1は、照明装置６の高さＨ2を加えた高さＨ1＋Ｈ2が、筐体４の高さＨとほぼ等しくなるように形成されている。
このような取付金具１１を用いてカメラ１を天井１３等に取付けるには、例えば、カメラ１を下部開口部から取付金具１１内に挿入し、その天板を取付金具１１に天板にねじ等（図示せず）により固定する。
【００１６】
そして、取付金具１１を天井１３等の取付穴１４に下から挿入し、そのフランジ１２を天井１３等の下面に当接して、ねじ等（図示せず）により天井１３等に固定する。ついで、天井１３等の下から筐体１の下部に照明装置６を装着してフランジ１２を覆い、固定する。これにより、照明装置６がフランジ１２の化粧カバーの役目を果し、監視カメラ装置が目立ち易くなるのを防止することができる。
【００１７】
上記のカメラ１の天井１３等への取付手順はその一例を示すもので、例えば、先ず取付金具１１を取付穴１４から挿入してそのフランジ１２を天井１３等の下面に固定し、この取付金具１１の開口部に照明装置６が装着されたカメラ１を挿入して取付けるなど、適宜変更することができる。
【００１８】
上記の説明では、取付金具１１を下端部外周にフランジ１２を有する円筒状に形成した場合を示したが、下端部両側に取付腕を有する門型の帯状の金具によって形成するなど、適宜変更することができる。
本実施の形態によれば、実施の形態１の場合とほぼ同様の作用、効果を得ることができる。
【００１９】
上記のように構成した本発明において、照明装置６の投光手段９に近赤外線ＬＥＤを使用することにより、照明投光時にも照明装置６を目立ちにくくすることができる。又、照明装置６のカバー１０を、可視光を吸収し、近赤外線光を透過するフィルタ機能を備えた素材で形成することにより、近赤外線ＬＤＥから発する僅かな可視光が減光されるため、照明装置６をより目立たなくすることができる。
【図面の簡単な説明】
【００２０】
【図１】本発明の実施の形態１に係るドーム型監視カメラ装置の一部を断面で示した正面図である。
【図２】一部を省略して示した図１の下面図である。
【図３】実施の形態１の模式的作用説明図である。
【図４】本発明の実施の形態２に係るドーム型監視カメラ装置の一部を断面で示した正面図である。
【符号の説明】
【００２１】
１  カメラ、２  カメラ本体、３  レンズユニット、４  筐体、５  クリアドーム、６  照明装置、７  ベース、８  基板、９  投光手段、１０  カバー、１１  取付金具、１２  フランジ、１３  天井等、１４  取付穴。
【図１】
2005347914.tif 000003
【図２】
2005347914.tif 000004
【図３】
2005347914.tif 000005
【図４】
2005347914.tif 000006